(57)【要約】【課題】高周波処置具において、使用者は、配管全体を回転させようとすると、操作ワイヤを進退させる把持を一旦緩め、回転後に再度把持し直す動作を要し、連続的な操作の妨げとなっていた。【解決手段】高周波処置具は、体腔内に挿入される可撓管と、可撓管内に進退自在に挿通された操作ワイヤと、操作ワイヤの先端側に配置され高周波電流の印加により生体組織を処置する処置部と、可撓管の基端側を固定する本体部と、可撓管の基端から導出された操作ワイヤの基端側を固定し、操作ワイヤを本体部に対して軸線方向へスライドさせるスライダー固定部と、スライダー固定部の外周面の少なくとも一部を環囲して設けられ、使用者の操作によりスライダー固定部をスライドさせるスライダー把持部とを備え、スライダー固定部は本体部に対して回転不能に連結され、スライダー把持部はスライダー固定部に対して回転自在に連結されている。【選択図】図４
2014233482.tif 000002
【特許請求の範囲】
【請求項１】
体腔内に挿入される可撓管と、
前記可撓管内に進退自在に挿通された操作ワイヤと、
前記操作ワイヤの先端側に配置され高周波電流の印加により生体組織を処置する処置部と、
前記可撓管の基端側を固定する本体部と、
前記可撓管の基端から導出された前記操作ワイヤの基端側を固定し、前記操作ワイヤを前記本体部に対して軸線方向へスライドさせるスライダー固定部と、
前記スライダー固定部の外周面の少なくとも一部を環囲して設けられ、使用者の操作により前記スライダー固定部をスライドさせるスライダー把持部と
を備え、
前記スライダー固定部は前記本体部に対して回転不能に連結され、前記スライダー把持部は前記スライダー固定部に対して回転自在に連結されている高周波処置具。
【請求項２】
前記本体部は、前記軸線方向に沿ったスリット孔を有し、
前記スライダー固定部は、前記スリット孔に挿通されるタブを有し、
前記タブは、前記操作ワイヤの基端側を固定すると共に、前記スリット孔に沿って前記スライダー固定部のスライドを案内する請求項１に記載の高周波処置具。
【請求項３】
前記スライダー把持部は、円筒形状を成し、
前記スライダー固定部は、前記スライダー把持部を前記軸線方向に沿って覆設するときに前記スライダー把持部に押されて前記スリット孔側へ撓み、前記スライダー把持部が規定位置に達したときに戻って前記スライダー把持部の前記軸線方向への移動を規制するロック部を有する請求項２に記載の高周波処置具。
【請求項４】
前記本体部は、前記軸線方向において前記スリット孔が設けられた部分とは異なる部分に、前記スリット孔が設けられた部分よりも軸太である本体操作部を有する請求項２または３に記載の高周波処置具。
【請求項５】
前記本体部の端部に、前記本体部に対して回転自在に連結された指掛部を備え、
前記スライダー把持部は、前記本体部の周方向へ延出する鍔部を有する請求項１から４のいずれか１項に記載の高周波処置具。
【請求項６】
前記処置部へ給電する電源コードが脱着可能に接続される給電端子を有する、前記本体部に対して回転自在に連結された端子部を備える請求項１から５のいずれか１項に記載の高周波処置具。
【請求項７】
前記可撓管の基端側の一部を覆う導電性パイプを備え、
前記可撓管は、前記処置部と前記導電性パイプを電気的に接続する導通部を有し、
前記端子部は、前記導電性パイプに接触摺動して前記電源コードからの電力を給電する摺動端子を有する請求項６に記載の高周波処置具。
【請求項８】
前記導通部は、前記操作ワイヤを挿通する管を形成するコイルパイプを含む請求項７に記載の高周波処置具。
【発明の詳細な説明】
【技術分野】
【０００１】
本発明は、高周波処置具に関する。
【背景技術】
【０００２】
可撓性の配管の先端側に導電性の処置部を設けた高周波処置具が知られている。使用者は、配管の基端側に設けられた操作部を操作して処置部を例えば患部である生体組織へ到達させ、さらに処置部を動作させて生体組織への処置を施す。
【先行技術文献】
【特許文献】
【０００３】
【特許文献１】特開２００９−２４７８７６号公報
【発明の概要】
【発明が解決しようとする課題】
【０００４】
使用者は、操作部を操作して、体腔内の配管を回転させたり、押し込んだりする。また、処置部を動作させるべく、操作部を操作して、配管内に挿通された操作ワイヤを進退させる。このとき、使用者は、配管全体を回転させようとすると、操作ワイヤを進退させる把持を一旦緩め、回転後に再度把持し直す動作を要し、連続的な操作の妨げとなっていた。
【課題を解決するための手段】
【０００５】
本発明のひとつの態様における高周波処置具は、体腔内に挿入される可撓管と、可撓管内に進退自在に挿通された操作ワイヤと、操作ワイヤの先端側に配置され高周波電流の印加により生体組織を処置する処置部と、可撓管の基端側を固定する本体部と、可撓管の基端から導出された操作ワイヤの基端側を固定し、操作ワイヤを本体部に対して軸線方向へスライドさせるスライダー固定部と、スライダー固定部の外周面の少なくとも一部を環囲して設けられ、使用者の操作によりスライダー固定部をスライドさせるスライダー把持部とを備え、スライダー固定部は本体部に対して回転不能に連結され、スライダー把持部はスライダー固定部に対して回転自在に連結されている。
【０００６】
なお、上記の発明の概要は、本発明の必要な特徴の全てを列挙したものではない。また、これらの特徴群のサブコンビネーションもまた、発明となりうる。
【図面の簡単な説明】
【０００７】
【図１】本実施形態に係る高周波処置具の全体構成を示す図である。
【図２】処置部近傍の部分断面を示す図である。
【図３】操作部の外観図である。
【図４】操作部の断面図である。
【図５】スライダー把持部の組み付け手順を示す図である。
【図６】固定ピン近傍の部分拡大図である。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、本実施形態に係る高周波処置具１０の全体構成を示す図である。本実施形態に係る高周波処置具１０は、内視鏡用のモノポーラ型高周波処置具である。高周波処置具１０は、例えば疾病者など被験者の体外において医師などの使用者が操作する操作部１００、例えば内視鏡の処置具案内管に挿脱されるシースである可撓管２００、および体腔内において例えば患部である生体組織を処置する処置部３００を主に備える。なお、本実施形態においては、高周波処置具１０のうち、処置部３００の側を先端、操作部１００の側を基端として説明する。また、処置の対象は、患部に限らず、病理検査などの対象として含まれ得る正常な生体組織であっても良い。
【００１０】
操作部１００は、本体部１１０、端子部１２０、本体操作部１３０、スライダー把持部１４０およびスライダー固定部１５０を構成部品として含む。本体部１１０は、略円柱形状を成し、円柱端面から内部へ導入された可撓管２００の基端側と回転自在に接続している。したがって、使用者が本体部１１０を円柱軸周りに回転させても、可撓管２００は追従して回転することはない。可撓管２００の内部には、操作ワイヤ２５０が進退自在に挿通されている。操作ワイヤ２５０の中心軸は、操作部１００において、本体部１１０の円柱軸と略一致するように配置されている。そこで、本実施形態においては、これら中心軸に沿う方向を軸線方向として説明する。操作ワイヤ２５０の基端側は、本体部１１０の内部で固定されている。したがって、使用者が本体部１１０を円柱軸周りに回転させると、その作用力を受けて可撓管２００の内部で追従して回転する。
【００１１】
端子部１２０は、処置部３００へ給電する電源コード４００が脱着される。詳しくは後述するが、端子部１２０は、本体部１１０に対して回転自在に連結されている。したがって、使用者により本体部１１０が軸線周りに回転されたとしても、電源コード４００は共に回転することなく、初期の姿勢を維持することができる。つまり、電源コード４００が、本体部１１０に巻き付くことがない。
【００１２】
本体操作部１３０は、使用者が本体部１１０を回転するときに把持しやすいように、本体部１１０の円柱断面径よりも大きく、つまり軸太に形成されたグリップ部である。したがって、本体操作部１３０は、本体部１１０に対して回転不能に、つまり相対的に回転しないように連結されている。本体操作部１３０が軸太に形成されていることにより、使用者は、小さな力で本体部１１０を回転することができる。特に、使用者は、高周波処置具１０の使用時にゴム手袋を装着していることが多いので、小さな力で本体部１１０を回転できることは、滑りに対しても有効である。
【００１３】
スライダー把持部１４０とスライダー固定部１５０は、本体部１１０に対して、スライダー把持部１４０を外側、スライダー固定部１５０を内側とする二重構造を成す。スライダー把持部１４０は、使用者によって把持されるグリップ部である。スライダー固定部１５０は、可撓管２００の基端から導出された操作ワイヤ２５０の基端側を固定している。
【００１４】
スライダー把持部１４０とスライダー固定部１５０は、軸線方向に対して一体的に移動する。したがって、使用者がスライダー把持部１４０を軸線方向へスライドさせると、スライダー固定部１５０も軸線方向へスライドする。このとき、スライダー固定部１５０に固定された操作ワイヤ２５０は、本体部１１０に対して軸線方向へスライドすることになる。可撓管２００は本体部１１０に対して固定されているので、使用者がスライダー把持部１４０をスライドさせると、操作ワイヤ２５０は、可撓管２００の内部を進退する。つまり、使用者がスライダー把持部１４０を基端側へスライドさせれば、操作ワイヤ２５０は可撓管２００の内部を基端側へ摺動し、逆に、使用者がスライダー把持部１４０を先端側へスライドさせれば、操作ワイヤ２５０は可撓管２００の内部を先端側へ摺動する。
【００１５】
可撓管２００は、上述のように内視鏡の処置具案内管に挿入されたり、あるいは直接的に体腔内に挿入されたりして、処置部３００をターゲットとする生体組織へ到達させる役割を担う。また、電源コード４００から給電される電力を処置部３００へ伝達する役割も担う。可撓管２００は、挿通に対する押し込み性、手元の回転力を先端まで確実に伝達する回転力伝達性、および折れ曲がりが生じない耐折れ曲がり性の相互バランスを考慮した剛性と可撓性を有する。具体的な構成については後述する。
【００１６】
処置部３００は、操作ワイヤ２５０の進退により開閉する。例えば、処置部３００により生体組織を挟持して高周波電流を流すことにより止血を行う。
【００１７】
図２は、処置部３００近傍の部分断面を示す図である。具体的には、操作ワイヤ２５０の軸線を含む断面図であり、理解しやすいように先端部の機構を正面図として表している。
【００１８】
可撓管２００は、本体部１１０に固定された基端部から図示する先端部に亘って伸延する骨格構造体としてのコイルパイプ２１０を有する。コイルパイプ２１０は、コイル素線を螺旋状に巻回して螺旋内部の空間を中空に、かつ両端を開口に形成したコイルである。操作ワイヤ２５０は、この螺旋内部の空間を進退摺動する。コイル素線は、導電性素材が用いられ、例えば、銅、鉄、アルミニウム、ニッケル、これらの合金（ステンレス鋼、黄銅など）が候補となり得る。コイル素線は、断面形状が円形である丸線でも良いが、可撓管２００の径を小さくすべく、断面形状が矩形である平線を用いても良い。
【００１９】
コイルパイプ２１０は、骨格構造体として上述の押込み性、回転力伝達性および耐折れ曲がり性のバランスを考慮した剛性と可撓性を実現すると共に、電源コード４００から給電される電力を処置部３００へ導く導通部としての機能を担う。
【００２０】
可撓管２００は、コイルパイプ２１０の外周面を被覆して最外層を形成するコート層２２０を有する。コート層２２０は、摺動性が良く、絶縁性の素材が用いられ、例えば、ポリテトラフルオロエチレン（ＰＴＦＥ）、テトラフルオロエチレン・ヘキサフルオロプロピレンコポリマー（ＦＥＰ）、ポリビニルアルコール（ＰＶＡ）、ポリビニルピロリドンを用いることができる。
【００２１】
処置部３００は、主に、処置電極３１０、支軸３２０、リンク機構３３０および支持枠体３４０により構成される。処置電極３１０は、２部品から成る鋏型の電極である。支軸３２０は、両端部が支持枠体３４０に固定されており、胴部で揺動摺動を許容するように処置電極３１０を軸支する。支軸３２０は、導電性部材により形成されている。リンク機構３３０は、処置電極３１０の力点と、操作ワイヤ２５０の先端部とを接続する。
【００２２】
支持枠体３４０は、コイルパイプ２１０の先端外周面を円環状に覆って固定すると共に支軸３２０の両端を固定支持するキャップ部材である。支持枠体３４０は、例えば金属の導電性部材により形成され、コイルパイプ２１０の先端外周面と溶接、ろう付け等により固定される。これにより、支軸３２０および支持枠体３４０は、処置電極３１０とコイルパイプ２１０とを電気的に接続する。
【００２３】
支持枠体３４０は、リンク機構３３０が揺動する部分から処置電極３１０が開閉する先端へスリット部を有する。処置電極３１０は、リンク機構３３０が操作ワイヤ２５０により先端方向へ押されると、図示するように開いた状態となり、リンク機構３３０が操作ワイヤ２５０により基端方向へ引かれると、点線で示すように閉じた状態となる。
【００２４】
次に操作部１００を詳細に説明する。図３は、操作部１００の外観図である。特に図３（ａ）は上面図であり、図３（ｂ）は正面図である。
【００２５】
本体部１１０の先端側には、端子部１２０が本体部１１０に対して回転自在に連結されている。さらに先端側には、端子部１２０の先端側開口を、可撓管２００の導入口を残して閉塞する端子カバー１６０が設けられている。本体部１１０は、例えばポリオキシメチレン（ＰＯＭ）により形成される。その他、成形性、摺動性、絶縁性、強度等を満たせば、アクリロニトリル・スチレンコポリマー（ＡＳ）、アクリロニトリル・ブタジエン・スチレンコポリマー（ＡＢＳ）、ポリフェニルサルフォン（ＰＰＳＵ）等の様々な素材を採用し得る。また、端子カバー１６０も、本体部１１０と同様に様々な素材を採用し得る。
【００２６】
端子部１２０は、電源コード４００を受容する接続部１２１と、本体部１１０と同軸の円柱形を成す回転部１２２とから構成されている。接続部１２１は、回転部１２２に直交する円柱形を成す。その内部には、電源コード４００と電気的に接続される給電端子１２３が設けられている。電源コード４００は、接続部１２１へ装着されてロックされると、本体部１１０に対して軸線周りに端子部１２０ごと自在に回転することができる。換言すると、電源コード４００が装着された端子部１２０の姿勢を一定に保ったまま、本体部１１０を軸線周りに自在に回転することができる。つまり、静止する端子部１２０に対して本体部１１０が軸線周りに摺動回転するので、電源コード４００が本体部１１０に巻き付くことがない。端子部１２０も、本体部１１０と同様に様々な素材を採用し得る。
【００２７】
本体部１１０には、軸線方向に沿ってスリット孔１１１が設けられている。具体的には、スリット孔１１１は、図３（ａ）に示すように、上面から下面へ向かって、軸線を含むように貫通された、軸線方向を長軸とする長穴である。スライダー固定部１５０は、スリット孔１１１に案内されて軸線方向に移動できる。換言すると、スライダー固定部１５０の移動範囲は、スリット孔１１１の長さにより制限されている。
【００２８】
上述のように、スライダー固定部１５０には、その外周面の少なくとも一部を環囲するように、スライダー把持部１４０が重ねて設けられている。スライダー把持部１４０は、２つの鍔部である、第１鍔部１４１と第２鍔部１４２を有する。それぞれの鍔部は、円筒形状を成す胴部から周方向へ延出するように形成されている。このような形状により、使用者は、例えば人差し指と中指で胴部を挟み込み、第１鍔部１４１を先端側へ押し出したり、第２鍔部１４２を基端側へ引き込んだりして、スライダー固定部１５０のスライド動作を快適に行うことができる。特に、使用者は、高周波処置具１０の使用時にゴム手袋を装着していることが多いが、このようなスライド操作は、鍔部で操作力を受けることができるので滑りが生じにくいという利点もある。スライダー把持部１４０、およびスライダー固定部１５０も、本体部１１０と同様に様々な素材を採用し得る。
【００２９】
本体部１１０の基端部には、指掛部１７０が、本体部１１０に対して回転自在に連結されている。指掛部１７０は、使用者の親指が挿通できる程度の内径を有する円環形状を成す。使用者は、例えば親指を指掛部１７０に挿通しつつ、人差し指と中指でスライダー把持部１４０を挟持すれば、親指に対して人差し指と中指を動作させることができ、より快適にスライダー固定部１５０のスライド動作を行うことができる。指掛部１７０も、本体部１１０と同様に様々な素材を採用し得る。
【００３０】
本体操作部１３０は、上述のように、本体部１１０を回転する場合に把持するグリップ部である。使用者は、例えば、右手でスライダー把持部１４０を把持して操作する場合は、左手で本体操作部１３０を把持することとなる。したがって、本体操作部１３０は、軸線方向においてスリット孔１１１が設けられた部分とは異なる部分に設けられる。本実施形態においては、端子部１２０とスリット孔１１１の間に設けられている。本体操作部１３０も、本体部１１０と同様に様々な素材を採用し得る。なお、本体部１１０の一部を軸太にすることにより、本体部１１０の一部として本体操作部１３０を形成しても良い。
【００３１】
図４は、操作部１００の断面図である。特に図４（ａ）は、図３（ａ）のＡ−Ａ断面図であり、図４（ｂ）は、図３（ｂ）のＢ−Ｂ断面図である。
【００３２】
図４（ａ）で示すように、スライダー固定部１５０は、第１固定部１５１と第２固定部１５２の２部品から構成される。第１固定部１５１は、スリット孔１１１に挿通する第１タブ１５３を有し、第２固定部１５２は、同じくスリット孔１１１に挿通する第２タブ１５４を有する。具体的には、それぞれのタブは、スリット孔１１１の幅に合せて、スライド動作を案内するように板状に形成されている。
【００３３】
第１固定部１５１と第２固定部１５２は、第１タブ１５３、第２タブ１５４がスリット孔１１１にそれぞれ反対側から挿通されて組み付けられ、一体化されてスライダー固定部１５０を形成する。このとき、本体部１１０の中心軸に沿って挿通されている操作ワイヤ２５０の基端側端部は、第１タブ１５３と第２タブ１５４に挟まれることにより、本体部１１０に対して相対的に固定される。
【００３４】
このように、スリット孔１１１に対して組み付けられたスライダー固定部１５０は、全体の外形形状としておよそ、本体部１１０と同軸の円筒部と、円筒部から周方向へ延出するように形成されたフランジ部とを有する。
【００３５】
これに対し、スライダー把持部１４０は、円筒状の一体部品として形成されている。スライダー把持部１４０は、スライダー固定部１５０を覆って環囲するように組み込まれる。スライダー固定部１５０に重ねて組み付けられたスライダー把持部１４０は、スライダー固定部１５０の円筒部周りに、回転自在である。すなわち、使用者は、スリット孔１１１とタブに規制されて静止するスライダー固定部１５０に対して、スライダー把持部１４０を軸線周りに自在に回転することができる。また、スライダー把持部１４０は、使用者の把持力に対して変形しない程度の剛性を備えるように、肉厚に形成されている。
【００３６】
本体部１１０の基端には、複数の基端フック部１１４が形成されている。また、指掛部１７０には内溝１７１が形成されている。基端フック部１１４の爪が内溝１７１に係るスナップフィットにより、指掛部１７０は、本体部１１０の基端に対して回転自在に連結されている。
【００３７】
本体部１１０は、先端側開口からスリット孔１１１へ通ずる内管１１３を有する。内管１１３は、操作ワイヤ２５０、可撓管２００を挿通する中空空間である。内管１１３は、先端側開口から操作ワイヤ２５０等を挿通しやすいように、先端側開口径を大とする漏斗形状を成す。
【００３８】
本体部１１０は、内管１１３の外周側に、複数の外周フック部１１２を有する。外周フック部１１２は、それぞれが軸線方向に沿った腕部と軸線方向に垂直な爪部を有し、軸線方向を対称軸に例えば２本設けられている。本体操作部１３０は、外周フック部１１２の爪部に係合する係合溝１３１を有する。軸線方向に沿って本体部１１０へ組み付けられる本体操作部１３０は、外周フック部１１２が係合溝１３１に係合するスナップフィットにより、本体部に対して連結され、抜けが防止される。また、係合溝１３１は、外周フック部１１２の爪部が軸線周りに回転しないように規制している。本体部１１０を回転させる把持部である本体操作部１３０は、このような構造により、本体部１１０に対して回転不能に取り付けられている。
【００３９】
使用者が、例えば左手で本体操作部１３０を把持して回転すると、スリット孔１１１も軸線周りに回転する。スライダー固定部１５０は、スリット孔１１１に案内されているので、スライダー固定部１５０も軸線周りに回転する。一方、右手は、例えば親指を指掛部１７０に挿通しつつ、人差し指と中指でスライダー把持部１４０を挟持している。このとき、上述のように、スライダー把持部１４０と指掛部１７０は、本体部１１０に対して回転自在なので、使用者は、右手の姿勢を維持したまま、左手で本体部１１０を回転することができる。換言すると、使用者は、本体部１１０を回転させて操作ワイヤ２５０を回転させたり、可撓管２００を回転させたりする場合でも、スライダー把持部１４０の把持を一旦緩めて再度把持し直す動作を要せず、かつ把持する手を捻る必要も無い。したがって、回転とスライドの連続した操作をスムースに実現することができる。
【００４０】
また、使用者は、本体部１１０の回転操作時に、往々にして強い力で本体操作部１３０およびスライダー把持部１４０を握りしめてしまう。しかし、スライダー把持部１４０は肉厚に形成されているので、使用者が強く握りしめてもスライダー固定部１５０のスライド動作を妨げることがない。すなわち、使用者は、本体操作部１３０およびスライダー把持部１４０のそれぞれを強く把持しながらも、本体部１１０の回転操作およびスライダー固定部１５０のスライド操作を、並行して、あるいは独立して、快適に行うことができる。
【００４１】
端子部１２０は、接続部１２１の内部に立設された給電端子１２３を有し、給電端子１２３は、可撓管２００へ向かって延びる固定ピン１２４と電気的に接続されている。固定ピン１２４は、端子部１２０の回転部１２２の内部に設けられた端子固定部１２５に支持固定されている。端子固定部１２５は、回転部１２２の内部において回転部１２２に固定されている。端子固定部１２５は、中心部に貫通孔１２７を有し、可撓管２００を内挿する導電性パイプ１８０が貫通孔１２７に挿通されている。
【００４２】
詳しくは後述するが、固定ピン１２４を支持固定する端子固定部１２５は、導電性を有し、固定ピン１２４を介して印加される電力を導電性パイプ１８０側へ導く役割を担う。導電性パイプ１８０は、例えば金属パイプであり、本体部１１０に対して固定されている。導電性パイプ１８０と端子固定部１２５が相対的に回転可能であることにより、上述のように、端子部１２０は、本体部１１０に対して自在に回転することができる。
【００４３】
端子固定部１２５は、先端側にフランジ部１２６を有し、端子カバー１６０に設けられたフック部１６１と係合する。これにより、端子カバー１６０は、端子部１２０に対して相対的に固定される。
【００４４】
次に、スライダー把持部１４０をスライダー固定部１５０に組み付ける組み付け手順を説明する。図５は、スライダー把持部１４０の組み付け手順を示す図である。
【００４５】
図５（ａ）は、スライダー把持部１４０の内筒部を本体部１１０に先端側から挿通して、スライダー固定部１５０へ接近させた様子を示す。第１固定部１５１は、軸線方向に沿って先端側へ延出する第１フック部１５５を有する。第１フック部１５５は、腕部１５５１と爪部１５５２とから成り、腕部１５５１は操作ワイヤ２５０側へ向かって撓むことができる。同様に、第２固定部１５２は、軸線方向に沿って先端側へ延出する第２フック部１５６を有する。第２フック部１５６は、腕部１５６１と爪部１５６２とから成り、腕部１５６１は操作ワイヤ２５０側へ向かって撓むことができる。なお、図５（ａ）の状態では、第１フック部１５５も第２フック部１５６も外力を受けていないので、撓むことなく軸線方向と平行な状態を保っている。また、図示するように、スライダー把持部１４０をスライダー固定部１５０に組み付ける段階では、操作ワイヤ２５０は、既に第１タブ１５３と第２タブ１５４に挟み込まれて固定されている。
【００４６】
図５（ｂ）は、スライダー把持部１４０を更にスライダー固定部１５０へ接近させて、一部が重なった様子を示す。第１フック部１５５の爪部１５５２と第２フック部１５６の爪部１５６２が、スライダー把持部１４０の導入部１４３に接触して案内されながら操作ワイヤ２５０方向へ押圧されると、それぞれの腕部１５５１と腕部１５６１は、当該方向へ撓み始める。そして図示するように、爪部１５５２と爪部１５６２が、内筒面１４５上を接触摺動する。なお、導入部１４３は、スライダー把持部１４０の内筒面１４５の基端側開口に形成されたＲ形状部分あるいはテーパ形状部分である。
【００４７】
図５（ｃ）は、スライダー把持部１４０がスライダー固定部１５０に組み付けられた様子を示す。スライダー把持部１４０の基端側開口が、第１固定部１５１の基端側に形成された第１フランジ１５７および第２固定部１５２の基端側に形成された第２フランジ１５８にまで到達すると、スライダー把持部１４０はそれ以上の移動が規制される。そして、内筒面１４５を接触摺動していた爪部１５５２と爪部１５６２は、スライダー把持部１４０の先端側開口に形成された係合溝１４４に嵌まり込み、腕部１５５１と腕部１５６１の撓みは解消される。このようにスナップフィットにより係合されたスライダー把持部１４０とスライダー固定部１５０は、互いに一体化される。ただし、係合溝１４４は、全周に亘って形成されており、爪部１５５２と爪部１５６２は、回転方向には規制されない。このような構成により、スライダー把持部１４０は、スライダー固定部１５０に対して回転が許容される。
【００４８】
次に、固定ピン１２４の先端部近傍について説明する。図６は、固定ピン１２４近傍（図４のＣ部）の部分拡大図である。固定ピン１２４の先端は、導電性パイプ１８０に到達することなく、端子固定部１２５により支持固定されている。導電性パイプ１８０は、その外周部の一部に溶接された導電性の摺動端子１８１を有する。摺動端子１８１は、導電性パイプ１８０と一体的に回転する。端子固定部１２５は、上述の通り導電性素材により形成されており、摺動端子１８１と常に接触するように配置されている。したがって、端子固定部１２５は、摺動端子１８１および導電性パイプ１８０に対して相対的に回転しても、摺動端子１８１との電気的な接続は定常的に維持される。よって、固定ピン１２４から供給される電力を、摺動端子１８１を介して導電性パイプ１８０へ安定的に供給することができる。操作ワイヤ２５０を挿通させるコイルパイプ２１０は、導電性パイプ１８０に挿通されている。ただし、コイルパイプ２１０は、導電性パイプ１８０に挿通されている部分においてはコート層２２０に被覆されておらず、導電性パイプ１８０と直接的に接触している。したがって、導電性パイプ１８０に印加された電力は、コイルパイプ２１０へ導かれる。コイルパイプ２１０は、上述のように先端部まで延びており、処置電極３１０へ電力を供給する。なお、端子固定部１２５の貫通孔１２７のうち先端側には、摺動端子１８１の軸方向の移動を規制する端子規制部１２８が設けられている。端子規制部１２８は、導電性部材により形成されており、端子固定部１２５に対して固定されている。
【００４９】
以上、本実施形態に係る内視鏡用のモノポーラ型高周波処置具としての高周波処置具１０を説明したが、各部の構成はさまざまなバリエーションを採用し得る。例えば、処置電極３１０は、鋏型に限らずさまざまな処置具を装着し得る。また、可撓管２００の骨格構造体としてのコイルパイプ２１０を、処置部３００と導電性パイプ１８０を電気的に接続する導通部としたが、回路パターンを別途設けることにより、別素材等の骨格構造体を採用しても良い。
【００５０】
スライダー固定部１５０をスライドさせる構成は、タブをスリット孔１１１に挿通して案内させる構成に限らず、他のガイド構成を採用しても良い。また、本実施形態においては、複数の箇所においてスナップフィットによる係合を採用したが、ビス、接着等による固定方法を採用しても良い。
【００５１】
また、高周波処置具１０は、モノポーラ型でなくバイポーラ型であっても良い。バイポーラ型である場合には、例えば２本の導電線を可撓管２００に内挿するように構成すれば良い。
【００５２】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【００５３】
１０  高周波処置具、１００  操作部、１１０  本体部、１１１  スリット孔、１１２  外周フック部、１１３  内管、１１４  基端フック部、１２０  端子部、１２１  接続部、１２２  回転部、１２３  給電端子、１２４  固定ピン、１２５  端子固定部、１２６  フランジ部、１２７  貫通孔、１２８  端子規制部、１３０  本体操作部、１３１  係合溝、１４０  スライダー把持部、１４１  第１鍔部、１４２  第２鍔部、１４３  導入部、１４４  係合溝、１４５  内筒面、１５０  スライダー固定部、１５１  第１固定部、１５２  第２固定部、１５３  第１タブ、１５４  第２タブ、１５５  第１フック部、１５５１  腕部、１５５２  爪部、１５６  第２フック部、１５６１  腕部、１５６２  爪部、１５７  第１フランジ、１５８  第２フランジ、１６０  端子カバー、１６１  フック部、１７０  指掛部、１７１  内溝、１８０  導電性パイプ、１８１  摺動端子、２００  可撓管、２１０  コイルパイプ、２２０  コート層、２５０  操作ワイヤ、３００  処置部、３１０  処置電極、３２０  支軸、３３０  リンク機構、３４０  支持枠体、４００  電源コード
【図１】
2014233482.tif 000003
【図２】
2014233482.tif 000004
【図３】
2014233482.tif 000005
【図４】
2014233482.tif 000006
【図５】
2014233482.tif 000007
【図６】
2014233482.tif 000008